(57)【特許請求の範囲】
【請求項１】
本棚の上部から下部に向けて延伸する移動部と、
前記移動部に沿って移動可能な固定板と、
前記固定板に連携し、棚板を支持する支持体と、
前記固定板を固定する固定部を有し、
前記固定板が前記移動部と前記固定部を相互に移動可能に構成され、
前記固定部は、前記移動部の前方または後方に、所定の間隔で複数設けられ、
前記支持体は、回転可能であり、該支持体を回転させることで前記固定板が回転し、
前記固定部に固定された前記固定板は、前記支持体を回転させることで前記移動部に移動可能であり、
前記支持体の前方面に該支持体を回転させるためのつまみが設けられる、本棚。
【発明の詳細な説明】
【技術分野】
【０００１】  本発明は、本棚に関し、特にデッドスペースを生かす本棚および自動ブックエンド付本棚に関する。
【背景技術】
【０００２】  従来の本棚では収納部分の高さはあらかじめ決められている、もしくは段階的にのみ変化できるような仕組みになっているためにどうしても本の上部にデッドスペースが生じてしまうという問題があった。
また、本を取り出したり収納したりする際のブックエンドの調整には非常に手間がかかり、両手を使って作業することが多いので操作性も非常に悪いという問題があった。
【特許文献】
【０００３】
【特許文献１】実登３１６１５８９号公報
【特許文献２】実開平０７−００９１４０号公報
【発明の概要】
【発明が解決しようとする課題】
【０００４】  しかしながら、従来の本棚では、デッドスペースを生かし切れていない問題があった。【０００５】  本発明の目的は、このようなことに鑑みてなされたものであり、簡単に棚の細かな高さ調整を行うことでデッドスペースが生じない本棚を提供することである。
【課題を解決するための手段】
【０００６】  上記目的は、
本棚（１０）の上部から下部に向けて延伸する移動部（２１）と、
前記移動部（２１）に沿って移動可能な固定板（４２）と、
前記固定板（４２）に連携し、棚板を支持する支持体（４１）と、
前記固定板（４２）を固定する固定部（２２）を有し、
前記固定板（４２）が前記移動部（２１）と前記固定部（２２）を相互に移動可能に構成され、
前記固定部（２２）は、前記移動部（２１）の前方または後方に、所定の間隔で複数設けられる、本棚（１）
によって達成される。
【発明の効果】
【０００７】  本発明によれば、簡単に棚の細かな高さ調整を行うことでデッドスペースが生じない本棚を提供することができる。
【図面の簡単な説明】
【０００８】
【図１】本発明の実施形態による本棚１０の正面図である。
【図２】本発明の実施形態による本棚１０に用いるレールユニット２の平面図、正面図、および拡大断面図である。
【図３】本発明の実施形態による本棚１０のアタッチメント４を有する棚板３の斜視図である。
【図４】本発明の実施形態による本棚１０のアタッチメント４の斜視図である。
【図５】本発明の実施形態による本棚１０のアタッチメント４を有する棚板３の正面図である。
【図６】本発明の実施形態による本棚１０の棚板３に設けられるブックエンド移動ユニット６の斜視図である。
【図７】本発明の実施形態による本棚１０の棚板３に設けられるブックエンド７の斜視図である。
【発明を実施するための形態】
以下、図１〜図７を用いて、本発明の実施形態による本棚１０を説明する。なお、以下の全ての図面においては、理解を容易にするため、各構成要素の寸法や比率などは適宜異ならせて図示している。
【０００９】  図１は、本棚１０の正面図である。図１に示すように、本棚１０は、外枠１（天井板、底面板、右側面板、左側面板、および背面板）と複数の棚板３と棚板３を上下方向に移動させるレールユニット２で構成される。本実施形態ではレールユニット２は、背面板の上部から下部に、４設置されるが、レールユニット２は５個以上であってもよいし、３個以下であってもよいが、棚板の列毎に２個設けられるのが好適である。
【００１０】  図２を用いてレールユニット２を説明する。レールユニット２は、木材で構成されるユニットであるが、プラスチック材料や金属等を用いて構成される場合があってもよいし、背面板に一体形成される場合があってもよい。本実施形態ではレールユニット２が背面板に取付けられる構成である。図２の上段の図は、レールユニット２の平面図である。図２において後述する固定板４２が位置している様々な状態を斜線で表している。レールユニット２は、移動部２１と回転空間部２４が上から下に向けて延伸し、移動部２１の後方に固定部２２が複数設けられる。また、移動部２１と固定部２２の間に回転空間部２４が設けられる。本実施形態では移動部２２と回転空間部２４が固定部２３の前方に位置しているが、移動部２２と回転空間部２４が固定部２３の後方に位置する場合があってもよい。移動部２１、固定部２３および回転空間部２４には、固定板４２が移動、回転、及び固定される。
【００１１】  図２の下段左方の図は、レールユニット２の正面図である。正面図において、正面より視認できない内部を点線にて表している。レールユニット２の内部には複数の固定棚２３が設けられる。レールユニット２の固定部２２は、上下に設けられた固定棚２３によって形成される。図２の下段右方の図は、レールユニット２の所定の固定棚２３に固定板４２が固定された状態と固定板４２が回転空間部２４にて回転した状態と固定板４２が移動部２１に移動した状態を示している。上下に設けられた固定棚２３によって形成された空間の固定部に、長手方向が水平方向に向いた姿勢の固定板４２を設置することで棚板３が固定される。固定板４２が固定部２２から前方の回転空間部２４まで移動すると長手方向が上下方向に向いた姿勢へと回転することが可能となり、この姿勢となった固定板４２は、移動部２１に移動することが可能となる。移動部２１では固定板４２は上下方向に移動可能となることで棚板３が上下方向に移動する。移動部２１の前方の幅２４は、固定板４２の短手方向の長さよりも短くなっており、固定板４２が移動部２１の前方への移動を制限している。また、固定板４２が回転空間部２４まで移動した状態では棚板支持体４１の後部が固定部に位置するため、棚が落下しないようになっている。
【００１２】  図３は、本棚１０のアタッチメント４を有する棚板３の斜視図であり、図５は、アタッチメント４を有する棚板３の正面図である。棚板３の内部にアタッチメント４を挿入する孔が設けられ、アタッチメント４は、当該孔において回転可能に構成される。アタッチメント４は、木材で構成されるが、プラスチック材料や金属等を用いて構成される場合があってもよい。また、棚板３の表面には後述するブックエンド７の移動孔５が設けられる。また、棚板３の内部には後述する移動ユニット６が設けられる。
【００１３】  図４は、アタッチメント４の斜視図である。図４に示すように、アタッチメント４は、円柱状の棚板支持体４１と平板状の固定板４２で構成される。棚板支持体４１の前面につまみが設けられ、つまみを回すことで棚板支持体４１、固定板４２が回転する。つまみを上下方向に位置させることで固定板４１の長手方向が上下方向になり、つまみを左右方向に位置させることで固定板４１の長手方向が左右方向になる。
【００１４】  図６は、後述するブックエンド７を移動させるためのブックエンド移動ユニット６の斜視図である。ブックエンド移動ユニット６は、ブックエンド取付部６１とブックエンド取付部６１を取り付けたベルト６２、６４と、プーリー（２個）とプーリーを回転させるモーター６３および電源部（不図示）で構成される。
【００１５】  図７は、ブックエンド７の斜視図である。ブックエンド７は、本体部と赤外線センサ７２と本体部取付部７１と電源（不図示）と制御回路（不図示）と圧力センサ（不図示）を有している。電源（不図示）は、赤外線センサ７２と圧力センサ（不図示）と制御回路に電力を供給するための電源である。赤外線センサ７２によりブックエンド７と載置する本との間に距離ができると自動的に本の列を圧縮して整理する。赤外線センサ７からの信号を受け取った制御回路によってモータ６３を駆動させる構成である。赤外線センサと制御回路とブックエンド移動ユニット６の電源部とモータ６３は銅線で接続されており、赤外線センサの出力レベルに応じて制御回路でブックエンド移動ユニット６の電源部とモータ６３との通電のオンオフを制御する。なお、制御回路は棚板３に設けられてもよい。ブックエンド７の壁面（本を圧縮する側）には圧力センサ（不図示）が設けられ、この圧力センサがオンになると制御回路でブックエンド移動ユニット６の電源部とモータ６３との通電をオフにする。また、制御回路は、一定時間毎に所定の時間でモータ６３を駆動させる場合がある。これにより、本の列の途中で抜かれた場合にも対応し、自動的に整理することが可能となり、図書館や書店で働く人の日々の労働を手助けすることができる。また、日々の業務の中にある本の陳列の整理は全ての本棚をチェックする必要があり、大規模になればなるほど非常な手間になる。これを自動化することにより、業務の回数を減少させることができ、余った時間を別の業務に利用できることから効率的な仕事や生産性の上昇が見込める。また、従来のブックエンドは本棚とは分離されているため、本の種類の増加などに伴って買い増す必要があったが、本実施形態の本棚１０は、本棚の本体部とブックエンドが一体化しており、ブックエンドが紛失してしまうという恐れがない。
【００１６】  本実施形態の本棚１０は、上述のように棚板３の高さ調整にレールユニット２を用いる。レールユニット２に棚板３の内部にアタッチメント４を固定して（図３参照）、アタッチメント４とレールユニット２を利用して棚板３の高さを調整する。アタッチメント４は、つまみを回転することで棚板３の内部で回転する。つまみと固定板４２は連動しており、つまみを９０°回転させると固定板４２も９０°回転する。棚板３の移動時には固定板４２が垂直になるようにして棚板３を手前に引き出すことで固定板４２を移動部２１の空間まで引き出して棚板３を上下に移動させる。棚板３の固定時には、棚板３を押し入れて回転空間部２４において固定板４２を水平になるように回転させて棚板３を再度押し入れることで固定板４２が固定部２２に固定される。
【００１７】  本実施形態の本棚１０は、工具を一切用いなくても簡単に本棚の高さを調整することができる。また、図５に示すように一つの棚にアタッチメントを二つ設けることにより、作業中の棚の不意な落下を防止でき、使用者の安全を確保することができる。また、本実施形態の本棚１０は、レールユニット２を４個設けて、２分割した棚のそれぞれの高さを自由に変えることができる。また、レールユニット２の本数を増やすことにより棚の分割する自由度を増やすことが可能であり、よりデッドスペースを解消することができる。
【００１８】  本発明は、上述の実施の形態に限らず種々の変形が可能である。また、上述の各実施の形態は、本発明の好適な一例であるので、技術的に好ましい種々の限定が付されているが、本発明の範囲は、上述の説明によって不当に限定されるものではない。また、上述の各実施の形態で説明される構成の全てが本発明の必須の構成要件ではない
【産業上の利用可能性】
【００１９】  本発明は、様々な形状の本棚において利用できる。
【符号の説明】
【００２０】１０  本棚
１  外枠
２  レールユニット
３  棚板
４  アタッチメント
５  移動孔
７  ブックエンド
【要約】
【課題】本発明の目的は、簡単に棚の細かな高さ調整を行うことでデッドスペースが生じない本棚を提供することである。
【解決手段】本棚１０は、上部から下部に向けて延伸する移動部２１と、移動部２１に沿って移動可能な固定板４２と、固定板４２に連携し、棚板を支持する支持体４１と、固定板４２を固定する固定部２２を有している。固定板４２が移動部２１と固定部２２を相互に移動可能に構成される。固定部２２は、移動部２１の前方または後方に、所定の間隔で複数設けられる。
【選択図】図１【図１】
0006970847.tif 000002
【図２】
0006970847.tif 000003
【図３】
0006970847.tif 000004
【図４】
0006970847.tif 000005
【図５】
0006970847.tif 000006
【図６】
0006970847.tif 000007
【図７】
0006970847.tif 000008